(57)【要約】【課題】半永久的に使用可能で交換や洗浄を必要としない脱臭シートを備え、さらに、静電対策が講じられた衣類プレス器を提供する。【解決手段】本衣類プレス器はヒート加熱方式で、各プレス板のプレス面の少なくともいずれか一方には、押え布によって被覆されカルボキシル基を共重合させた天然繊維を含む布あるいは不織布からなる防臭シートを設ける。【選択図】  図６
2005192914.tif 000002
【特許請求の範囲】
【請求項１】
一側面をプレス面とした第１のプレス板と、このプレス板のプレス面に対向するプレス面を有し前記第１のプレス板に開閉自在に設けられた第２のプレス板とを備え、前記第１のプレス板と前記第２のプレス板の少なくともいずれか一方にヒータを設けた衣類プレス器において、前記各プレス面の少なくともいずれか一方には、押え布によって被覆されカルボキシル基を共重合させた天然繊維を含む布あるいは不織布からなる防臭シートを設けることを特徴とする衣類プレス器。
【請求項２】
請求項１に記載の衣類プレス器において、前記防臭シートは、前記第１のプレス板と第２のプレス板に各々設けかつ、前記両プレス板間には、プレスシートを設けることを特徴とする衣類プレス器。
【請求項３】
請求項１または２に記載の衣類プレス器において、前記押さえ布は、水蒸気を含む通気性を有することを特徴とする衣類プレス器。
【請求項４】
請求項１ないし３のいずれか１項に記載の衣類プレス器において、前記防臭シートあるいはこの防臭シートの全面を覆う押さえ布に、金属イオンを含んだ静電気除去糸を取り付けることを特徴とする衣類プレス器。
【発明の詳細な説明】
【技術分野】
【０００１】
本発明は、衣類の皺伸ばしや折目付けを電熱によって行なう衣類プレス器に係り、特に脱臭機能を持たせた衣類プレス器に関する。
【背景技術】
【０００２】
従来、この種の衣類プレス器として、例えばズボンの皺伸ばしや折目付けを行なうズボンプレッサ等が知られている。
【０００３】
このようなズボンプレッサは一般に、一側面をプレス面とした固定板と、この固定板のプレス面に対向するプレス面を有し固定板に開閉自在に設けられた可動板とを備え、これら固定板と可動板との少なくともいずれか一方にヒータを設けた構成とされ、必要に応じて、固定板と可動板との間に、衣類の重合部の隔離または位置決め等を行なうため１枚または複数枚の薄いプレスシートを介装することも行われている。
【０００４】
ところで、ズボン等に付着した汗、タバコの臭いは、ズボン等のプレス時に周囲に発散したり、あるいはズボン等から完全に抜け切れず、翌日も臭いが付いたまま着用することになり快適とは云えなかった。また、ズボン等の布地によっては静電気が帯電するものがあり、手に放電したり、ズボン等が脚にまとわりつくことがあり、不快な思いをすることがあった。
【０００５】
なお、特許文献１及び特許文献２には、ズボン等から発する臭いを除去するために脱臭シートを設けた衣類プレス器が提案されているが、特許文献１のものは耐久性がある脱臭材が用いられていないため、長期的には交換を要したり、洗浄を要するものであるので使い勝手が悪く、また、特許文献２のものは脱臭シートが表面に露出しているため、臭いがズボンに戻ってしまうことがあり、また、長期間の使用で脱臭シートが破損するおそれがあり、さらに、これらの衣類プレス器はいずれも、静電気に対する対策もなされていない。
【特許文献１】特開平４−１９３３００号公報（第２頁左欄上段第４行〜１６行、同左欄第１３行〜第１６行、図３）
【特許文献２】特開平６−２２５９９７号公報（段落［０００７］、図２）
【発明の開示】
【発明が解決しようとする課題】
【０００６】
本発明は上述した事情を考慮してなされたもので、半永久的に使用可能で交換や洗浄を必要としない脱臭シートを備え、さらに、静電対策が講じられた衣類プレス器を提供することを目的とする。
【課題を解決するための手段】
【０００７】
上記目的を達成するため、本発明の１つの態様によれば、一側面をプレス面とした第１のプレス板と、このプレス板のプレス面に対向するプレス面を有し前記第１のプレス板に開閉自在に設けられた第２のプレス板とを備え、前記第１のプレス板と前記第２のプレス板の少なくともいずれか一方にヒータを設けた衣類プレス器において、前記各プレス面の少なくともいずれか一方には、押さえ布によって被覆されカルボキシル基を共重合させた天然繊維を含む布あるいは不織布からなる防臭シートを設けることを特徴とする衣類プレス器が提供される。これにより、半永久的に使用可能で交換や洗浄を必要としない脱臭シートを備え、さらに、静電対策が講じられた衣類プレス器が実現される。
【０００８】
好適な一例では、前記防臭シートは、前記第１のプレス板と第２のプレス板に各々設けかつ、前記両プレス板間には、プレスシートを設ける。
【０００９】
また、他の好適な一例では、前記押え布は、水蒸気を含む通気性を有する。
【００１０】
また、他の好適な一例では、前記防臭シートあるいはこの防臭シートの全面を覆う押え布に、金属イオンを含んだ静電気除去糸を取り付ける。
【発明の効果】
【００１１】
本発明に係わる衣類プレス器によれば、半永久的に使用可能で交換や洗浄を必要としない脱臭シートを備え、さらに、静電対策が講じられた衣類プレス器を提供することができる。
【発明を実施するための最良の形態】
【００１２】
以下、本発明に係わる衣類プレス器の一実施形態について添付図面を参照して説明する。
【００１３】
本実施形態はズボンプレッサに適用したもので、図１は固定板側から見た開状態の外観を示す斜視図、図２は可動板側から見た開状態を示す斜視図、図３は可動板及び固定板の一部を切欠して示す正面図、図４は固定板及び可動板の一部を切欠して示す正面図である。
【００１４】
図１乃至図４に示すように、このズボンプレッサ１は縦型で、全体として矩形をなし、第１のプレス板としての台板を構成する固定板２と、この固定板２にヒンジ継手３により開閉自在にヒンジ結合された第１のプレス板としての可動板４とを有する。固定板２と可動板４との間には可撓性を有する１枚のプレスシート５が介装されている。
【００１５】
上記固定板２は脚部６から立設された支持部材７に取り付けられ、さらに、外枠８で囲まれて周辺が補強される一方、図５に示すように、固定板２の台板をなすベニア板１２の内面側のほぼ全面に設けられた蛇行状のヒータ収容凹部１２ａに加熱源として線状のヒータ１３が収容され、また、図３及び図６に示すように、ヒータ１３の全面が金属製の均熱板１４で覆われ、さらに、均熱板１４のほぼ中央部はその全長に渡って幅約２０ｃｍの防臭シート１５により覆われ、また、この防臭シート１５は固定板２の上面をなす押さえ布１６で被覆され、これによりズボン脚部全幅以上の縦横の幅を有するプレス面１７が形成されている。なお、固定板２の外面側は化粧用塩ビシート１８によって被覆されている。
【００１６】
また、図２及び図７に示すように、固定板２の開閉端側には操作パネル１９が装着されており、この操作パネル１９に通電表示ランプ付きの操作スイッチ１９ａと、プレス完了を表示するフィニッシュランプ１９ｂが設けられている。なお、図２において、符号２０は電源プラグ２０ａが取り付けられたコード２０ｂを巻き取るコード巻き取り枠、２１は可動板４を３段階に開閉可能にするレバーである。
【００１７】
さらに、図４及び図６に示すように可動板４は台板をなすベニア板３１を覆うようにスポンジやゴム等のクッション体３２が緩衝体として設けられ、また、このクッション体３２の中央部はその全長に渡って幅約２０ｃｍの防臭シート３３で覆われ、さらに、この防臭シート３３は押さえ布３４で被覆され、プレス面３５が形成され、このプレス面３５は固定板２に形成されたプレス面１７と対向している。可動板４のプレス面３５には、図６に示すようにズボン等の衣類の腰部に対応する逃げ部３５ａが凹設等により形成されている。
【００１８】
また、ズボンプレッサ１の固定板２と可動板４との間に介装される１枚のプレスシート５は透明あるいは半透明の樹脂材料製で略矩形状をなし、ズボン脚部全幅を充分に覆う縦横の幅を有している。プレスシート５の開閉端側には一対の支持片５ａが設けられ、プレスシート５は固定板２と可動板４間に橋設され支持片５ａを貫通する支持チェーン５ｂによって支持されている。
【００１９】
さらに、可動板４のベニア板３１の外側面は化粧用塩ビシート３６によって被覆され、また、外側面には、可動板４に取り付けられたレバー２１が、適宜係合する係合部材３７が設けられている。なお、符号３８は外枠である。
【００２０】
上記防臭シート１５、３３は、カルボキシル基を共重合させたウール、コットン、レイヨン等の天然繊維を含む布あるいは不織布からなっている。
【００２１】
この防臭シート１５、３３による脱臭作用及びその機能の回復は次のようにして行われるものと考えられている。
【００２２】
［化１］
ＣＯＯＨ（カルボキル基）＋ＮＨ３（アンモニア）＝ＣＯＯＮＨ４
カルボキシル基にアンモニアが触れ、ＣＯＯＮＨ４となり無臭になる。
【００２３】
ＣＯＯＮＨ４が水分（空気中の水分）に触れると
［化２］
Ｈ２Ｏ＋ＣＯＯＮＨ４
となり、
［化３］
Ｈ２Ｏ  →  Ｈ＋＋ＯＨ
ＣＯＯＮＨ４  →  ＣＯＯ−＋ＮＨ４＋
↓
Ｈ＋＋ＣＯＯ−＝ＣＯＯＨ
に復活する。このときＮＨ３が放出される。
【００２４】
このように、ズボンから発するアンモニアを主成分とする臭いは、防臭シート１５、３３に含まれるカルボキル基によって、ＣＯＯＮＨ４となって無臭となり、さらに、防臭シート１５、３３は、水分を吸収して、カルボキル基を復活させ、少しずつアンモニアを大気中に放出する。なお、カルボキル基とアンモニアの反応は、加熱状態で促進される。
【００２５】
また、防臭シート１５、３３の天然繊維を含む布あるいは不織布には、表面に金属イオンを含んだ静電気除去糸が縫込みあるいは織り込みによって設けられており、ズボンに帯電した静電気をコロナ放電により中和し、除去できるようになっている。
【００２６】
さらに、上記押え布１６、３４は、水蒸気を含む通気性を有し、透光性を有して透明あるいは半透明であり、その下層に設けられた防臭シート１５、３３の製造時の配置状態をチェックできるようになっている。
【００２７】
次に本実施形態のズボンプレッサの使用方法について説明する。
【００２８】
図８に示すように、レバー２１を上げて可動板４を開き、プレスシート５を固定板側に寄せる（図８（ａ））。ズボンのすそ部を下方までおろし、ズボンのたるみを整え（図８（ｂ））、ズボンの片方を持ち上げてから、プレスシート５をズボン側に寄せ（図８（ｃ））、持ち上げたズボンをプレスシート５を挟むように降ろし、再度ズボンのたるみを整え（図８（ｄ））、可動板４を閉じ、固定板２に設けられたレバー２１を可動板４に設けられた係合部材３７に係合させ、図６に示すようにクッション体３２によりプレス圧を加えた状態でズボンを固定板２と可動板４間に保持する。
【００２９】
しかる後、図２及び図７に示すように、電源スイッチのＯＮにより、ズボンは固定板２に収納されたヒータ１３の加熱作用と、可動板４に収容されたクッション体３２の押圧によるプレス作用を受けて、加熱プレスされる。ズボンは、ヒータ１３により１００℃以下、例えば７０℃〜９０℃に加熱され、クッション体３２等により１００ｇ／ｃｍ２以下、例えば１〜７０ｇ／ｃｍ２の加圧力でプレスされ、ヒータ１３の加熱時間は図示しないタイマにより制限され、約１０分〜１５分程度で加熱プレス作業が終了する。
【００３０】
上記のようなズボンのプレス過程において、防臭シート１５、３３は、カルボキシル基を共重合させたウール、コットン、レイヨン等の天然繊維を含む布あるいは不織布からなっているので、ズボンから発するアンモニアを主成分とする臭いは、防臭シート１５、３３に含まれるカルボキル基によって、無臭となる。また、使用者がズボンをズボンプレッサ１から取り出した後、防臭シート１５、３３は、空気中及びベニア板１２、３１に含まれる水分を吸収して、カルボキル基を復活させ、押え布１６、３４の編目を通って、少しずつアンモニアを大気中に放出する。
【００３１】
さらに、防臭シート１５、３３には、静電気除去糸が縫込みあるいは織り込みによって設けられており、ズボンに帯電した静電気をコロナ放電により中和し、除去できるようになっている。
【００３２】
従って、カルボキシル基を共重合させた天然繊維からなる消臭シートは、水分により復活するため、半永久的に使用でき、交換や洗浄をする必要がなく、また、押え布１６、３４によって被覆されているので、使用を繰り返しても、破損することがない。
【００３３】
なお、上記実施形態においては、縦型のズボンプレッサの例で説明したが、本発明に係る衣類プレス器はプリーツスカートのプレス等多くの衣類のプレスに用いても、同様の効果を期待でき、また、防臭シートは必ずしも両プレス板に各々設ける必要がなく、いずれか一方に設ければよく、この場合、反応を促進する観点からヒータが設けられたプレス板側に設けられるのが好ましい。また、プレスシートは必ずしも設ける必要はない。
【図面の簡単な説明】
【００３４】
【図１】本発明に係る衣類プレス器の一実施形態の固定板側から見た開状態の外観を示す斜視図。
【図２】本発明に係る衣類プレス器の一実施形態の可動板側から見た開状態を示す斜視図。
【図３】本発明に係る衣類プレス器の一実施形態の可動板及び固定板の一部を切欠して示す正面図。
【図４】本発明に係る衣類プレス器の一実施形態の固定板及び可動板の一部を切欠して示す正面図。
【図５】本発明に係る衣類プレス器の一実施形態のヒータの取り付け状態を示す断面図。
【図６】本発明に係る衣類プレス器の一実施形態の一部を拡大して示す縦断面図。
【図７】本発明に係る衣類プレス器の一実施形態の操作パネルの縦断面図。
【図８】（ａ）〜（ｄ）は本発明に係る衣類プレス器の一実施形態の使用状態を示す説明図。
【符号の説明】
【００３５】
１  ズボンプレッサ
２  固定板
４  可動板
５  プレスシート
１２  ベニア板
１３  ヒータ
１４  均熱板
１５  防臭シート
１６  押さえ布
１７  プレス面
３２  クッション体
３３  防臭シート
３４  押さえ布
３５  プレス面３５
【図１】
2005192914.tif 000003
【図２】
2005192914.tif 000004
【図３】
2005192914.tif 000005
【図４】
2005192914.tif 000006
【図５】
2005192914.tif 000007
【図６】
2005192914.tif 000008
【図７】
2005192914.tif 000009
【図８】
2005192914.tif 000010